(57)【要約】【課題】  貼り付けられた後、剥がされたか否かを容易に判別できるセキュリティ用ラベルを提供することを目的とする。【解決手段】  透明又は半透明の樹脂フィルム１と、透明又は半透明の粘着層２と、剥離シートと、を順次積層したセキュリティ用ラベルである。かつ、粘着層２の剥離シート側に多数の微小凸部５を有する装飾面４を形成している。さらに、粘着層２から剥離シート３を剥離してその粘着層２の装飾面４を被着体６に貼り付けた使用状態に於て、粘着層２自身の凝集破壊を起こす破壊強度が、被着体６と粘着層２との間に剥離を起こす付着強度、粘着層２と樹脂フィルム１との間に剥離を起こす付着強度、及び、樹脂フィルム１自身の破断強度より、小さくなるように設定したものである。【選択図】  図３
2006235257.tif 000002
【特許請求の範囲】
【請求項１】
透明又は半透明の樹脂フィルム（１）と、透明又は半透明の粘着層（２）と、剥離シート（３）と、を順次積層したセキュリティ用ラベルであって、
上記粘着層（２）の剥離シート（３）側に多数の微小凸部（５）を有する装飾面（４）を形成し、かつ、上記粘着層（２）から上記剥離シート（３）を剥離してその粘着層（２）の上記装飾面（４）を被着体（６）に貼り付けた使用状態に於て、該粘着層（２）自身の凝集破壊を起こす破壊強度が、上記被着体（６）と粘着層（２）との間に剥離を起こす付着強度、粘着層（２）と上記樹脂フィルム（１）との間に剥離を起こす付着強度、及び、該樹脂フィルム（１）自身の破断強度より、小さくなるように設定したことを特徴とするセキュリティ用ラベル。
【請求項２】
粘着層（２）自身の凝集破壊を起こす破壊強度を、上記被着体（６）と粘着層（２）との間に剥離を起こす付着強度の20％以上70％以下になるように設定した請求項１記載のセキュリティ用ラベル。
【請求項３】
透明又は半透明の樹脂フィルム（１）と、透明又は半透明の粘着層（２）と、剥離シート（３）と、を順次積層したセキュリティ用ラベルであって、
上記粘着層（２）の剥離シート（３）側に多数の微小凸部（５）を有する装飾面（４）を形成し、かつ、上記粘着層（２）から上記剥離シート（３）を剥離してその粘着層（２）の上記装飾面（４）を被着体（６）に貼り付けた使用状態に於て、上記樹脂フィルム（１）自身の破断強度が、上記被着体（６）と粘着層（２）との間に剥離を起こす付着強度、粘着層（２）と上記樹脂フィルム（１）との間に剥離を起こす付着強度、及び、粘着層（２）自身の凝集破壊を起こす破壊強度より、小さくなるように設定したことを特徴とするセキュリティ用ラベル。
【発明の詳細な説明】
【技術分野】
【０００１】
本発明は、セキュリティ用ラベルに関する。
【背景技術】
【０００２】
医薬品や食品等を封入した容器（箱や缶）には、その開け口の部位に容器が未開封であることを示すためのラベルが貼られたり、また、容器の表面には内容物の品質保持期限等を示すためのラベルが貼られたりしている（例えば、特許文献１参照）。
【特許文献１】特開２００２−３５８０１６号公報
【発明の開示】
【発明が解決しようとする課題】
【０００３】
しかし、従来のラベルでは、容器からラベルを破損せず剥がして容器を開封し、内容物を悪意をもって入れ換えたり、不正に改ざんした品質保持期限等を表示したラベルを剥がして新たに貼り替えを行った場合、貼り付け後ラベルが剥がされたことを判別することは困難であった。
そこで、本発明は、貼り付けられた後、剥がされたか否かを容易に判別できるセキュリティ用ラベルを提供することを目的とする。
【課題を解決するための手段】
【０００４】
上記目的を達成するために、本発明に係るセキュリティ用ラベルは、透明又は半透明の樹脂フィルムと、透明又は半透明の粘着層と、剥離シートと、を順次積層したセキュリティ用ラベルであって、上記粘着層の剥離シート側に多数の微小凸部を有する装飾面を形成し、かつ、上記粘着層から上記剥離シートを剥離してその粘着層の上記装飾面を被着体に貼り付けた使用状態に於て、該粘着層自身の凝集破壊を起こす破壊強度が、上記被着体と粘着層との間に剥離を起こす付着強度、粘着層と上記樹脂フィルムとの間に剥離を起こす付着強度、及び、該樹脂フィルム自身の破断強度より、小さくなるように設定したものである。
【０００５】
また、粘着層自身の凝集破壊を起こす破壊強度を、上記被着体と粘着層との間に剥離を起こす付着強度の20％以上70％以下になるように設定したものである。
【０００６】
また、透明又は半透明の樹脂フィルムと、透明又は半透明の粘着層と、剥離シートと、を順次積層したセキュリティ用ラベルであって、上記粘着層の剥離シート側に多数の微小凸部を有する装飾面を形成し、かつ、上記粘着層から上記剥離シートを剥離してその粘着層の上記装飾面を被着体に貼り付けた使用状態に於て、上記樹脂フィルム自身の破断強度が、上記被着体と粘着層との間に剥離を起こす付着強度、粘着層と上記樹脂フィルムとの間に剥離を起こす付着強度、及び、粘着層自身の凝集破壊を起こす破壊強度より、小さくなるように設定したものである。
【発明の効果】
【０００７】
本発明は、次のような著大な効果を奏する。
本発明に係るセキュリティ用ラベルによれば、本発明のラベルが被着体に貼り付けられた後、剥がされたか否かを容易に判別できる。
本発明のラベルを医薬品や食品を封入した容器（被着体）の開け口の部位に貼り付けておけば、容器を不正に開封しようとしてラベルが剥がされた場合であっても、そのことを容易に確認できる。また、本発明のラベルを内容物の品質保持期限等を記載したラベルとして容器（被着体）に貼り付ければ、そのラベルが剥がされ不正に改ざんした別のラベルが新たに容器に付されても、そのことを容易に確認できる。
【発明を実施するための最良の形態】
【０００８】
以下、実施の形態を示す図面に基づき本発明を詳説する。
図１〜図６は、本発明の第１の実施の形態を示す図である。また、図１は、本発明に係るセキュリティ用ラベルが医薬品や食品等を封入する容器に貼り付けられる前の状態──未使用状態───を示す図である。
図１に於て、本発明に係るセキュリティ用ラベルは、透明又は半透明の樹脂フィルム１と、透明又は半透明の粘着層２と、剥離シート３と、を順次積層して成っている。
また、粘着層２の剥離シート３側には多数の微小凸部５を有する装飾面４が形成され、剥離シート３の粘着層２との付着面７は装飾面４（微小凸部５）の形状に対応して凹凸状に成形されている。即ち、剥離シート３は、予め微小凸部５の形状に対応するようにエンボス加工され、そのエンボス加工された凹凸面側に粘着剤を塗布して粘着層２を形成している。
【０００９】
次に、図２及び図３は、粘着層２から剥離シート３を剥離して、その粘着層２の装飾面４を被着体６（医薬品や食品等を封入する容器）に貼り付けた状態───使用状態───を示す図である。
図３（ａ）に於て、粘着層２自身の凝集破壊を起こす破壊強度は、被着体６と粘着層２との間に剥離を起こす付着強度、粘着層２と樹脂フィルム１との間に剥離を起こす付着強度、及び、樹脂フィルム１自身の破断強度より、小さくなるように設定されている。つまり、使用状態に於て、図３（ｂ）に示すように、樹脂フィルム１及び粘着層２に引き剥がし力Ｆを加えた場合、粘着層２が凝集破壊を起こすようになっている。
【００１０】
さらに、粘着層２自身の凝集破壊を起こす破壊強度は、被着体６と粘着層２との間に剥離を起こす付着強度の20％以上70％以下になるように設定されている。粘着層２自身の凝集破壊を起こす破壊強度を、被着体６と粘着層２との間に剥離を起こす付着強度の20％未満になるように設定すると、装飾面４の微小凸部５の形状を維持できなくなり、70％より大きく設定すると、引き剥がし力Ｆを加えても粘着層２が凝集破壊しにくくなる。
【００１１】
なお、未使用状態に於て、粘着層２自身の凝集破壊を起こす破壊強度は、粘着層２と樹脂フィルム１との間に剥離を起こす付着強度、及び、樹脂フィルム１自身の破断強度より、小さくなるように設定されているが、剥離シート３と粘着層２との間に剥離を起こす付着強度よりは大きくなるように設定されている。このように設定しなければ、粘着層２から剥離シート３を剥離して、未使用状態から使用状態にできないからである。
【００１２】
また、粘着層２は、アクリル系樹脂、ウレタン系樹脂、シリコン系樹脂、又はゴム系樹脂を主剤とし、これらの主剤 100部に対し、イソシアネート系架橋剤を 0.3〜2.0 部、エポキシ系架橋剤を0.05〜0.6 部、又はメラミン系架橋剤を 0.1〜1.0 部加え成形されている。
【００１３】
図４のグラフ図に於て、グラフ線Ｌは、粘着層２自身の凝集破壊を起こす破壊強度と粘着層２に含まれる架橋剤の量との関係を示し、グラフ線Ｍは、被着体６と粘着層２との間に剥離を起こす付着強度及び粘着層２と樹脂フィルム１との間に剥離を起こす付着強度と、粘着層２に含まれる架橋剤の量との関係を示す。なお、このグラフ図の縦軸は強度（破壊強度・付着強度）を示し、横軸は粘着層２に含まれる架橋剤の量を示す。
グラフ線Ｌ，Ｍについて説明すると、グラフ線Ｍに示すように、粘着層２自身の凝集破壊を起こす破壊強度は、架橋剤の含有量が多くなると（破壊）強度は小さくなる。一方、グラフ線Ｌに示すように、被着体６と粘着層２との間に剥離を起こす付着強度及び粘着層２と樹脂フィルム１との間に剥離を起こす付着強度は、架橋剤の含有量が多くなると、（付着）強度は大きくなる。そして、本発明のセキュリティ用ラベルでは、粘着層２に含まれる架橋剤の量を、領域Ｘ内になるように設定し、粘着層２自身の凝集破壊を起こす破壊強度を、被着体６と粘着層２との間に剥離を起こす付着強度及び粘着層２と、樹脂フィルム１との間に剥離を起こす付着強度より、小さくなるように設定している。
また、架橋剤の含有量を、領域Ｘより少なくすると、装飾面４の微小凸部５の形状を維持できなくなり、領域Ｘより多くすると、引き剥がし力Ｆを加えても粘着層２が凝集破壊しにくくなる。なお、領域Ｘにて示す架橋剤の含有量は、上述した主剤に対するそれぞれの架橋剤の量である。
【００１４】
また、粘着層２には大きさや形状の異なる微小凸部５が形成されており、図５に示すように、粘着層２の装飾面４には２種類の微小凸部５ａ，５ｂが形成され、「Ａ」の文字が表示されている。文字（又は模様）の部分の多数の微小凸部５ａの間には、凹溝部10ａが形成され、これら多数の凹溝部10ａは互いに格子状に配設されている。また、文字の部分以外に配置された多数の微小凸部５ｂの間には、凹溝部10ｂが形成され、これら多数の凹溝部10ｂも互いに格子状に配設されている。なお、微小凸部５ａ，５ｂは平面視にて正方形である。
【００１５】
図６に於て、大きい方の微小凸部５ａは 100cm2 あたり 750個〜10000個配設されていることが好ましい。また、微小凸部５ａの大きさＳ1 は 500μm 〜5000μm であることが好ましく、凹溝部10ａの幅寸法Ｗ1 は10μm 〜 500μm であることが好ましい。また、文字の部分（面積）のうち微小凸部５ａの占める面積の割合（接着面積密度）は、60％以上であることが望ましい。
また、小さい方の微小凸部５ｂの大きさＳ2 は10μm 〜 500μm であることが好ましく、凹溝部10ｂの幅寸法Ｗ2 は 100μm 〜 500μm であることが好ましい。また、文字の部分以外の面積のうち微小凸部５ｂの占める面積の割合（接着面積密度）は１％〜40％であることが望ましい。
【００１６】
この微小凸部５は、２種類に限らず、３種類以上であってもよく、装飾面４に表示する文字や模様に応じて、微小凸部５の形状は適宜設計変更自由である。また、図５に於て、大きい方の微小凸部５ａが「Ａ」の文字を形成するように配設されているが、小さい方の微小凸部５ｂが文字（又は模様）を形成するように配設してもよい。また、微小凸部５の形状や大きさは、長期間その形状を維持できるように設定することが好ましい。
【００１７】
また、樹脂フィルム１は、ポリエチレンテレフタレート（ＰＥＴ）、ポリプロピレン（ＰＰ）、ポリエチレン（ＰＥ）、ポリオレフィン（ＰＯ）、ポリスチレン、アクリル、又はポリカーボネートを素材とする透明又は半透明の樹脂製であり、装飾面４に表示された文字や模様は、樹脂フィルム１の表て側から視認できるようになっている（図２参照）。
【００１８】
図７に示す第２の実施の形態に於て、図７（ａ）は未使用状態を示し、図７（ｂ）は使用状態を示す。
未使用状態に於て、透明又は半透明の樹脂フィルム１と、透明又は半透明の粘着層２と、剥離シート３と、が順次積層されているが、粘着層２は、樹脂フィルム１側に配置された第１層８と、剥離シート３側に配置された第２層９と、から成っている。そして、第２層９の剥離シート３側に多数の微小凸部５を有する装飾面４が形成されている。
この粘着層２は、例えば、微小凸部５の形状に対応してエンボス加工された剥離シート３の表面に第２層９を塗布し、第２層９の硬化後に第１層８を塗布して形成されている。
【００１９】
図７（ｂ）の使用状態に於て、第１層８と第２層９との間に剥離を起こす付着強度（粘着層２自身の凝集破壊を起こす破壊強度）は、被着体６と粘着層２との間に剥離を起こす付着強度、粘着層２と樹脂フィルム１との間に剥離を起こす付着強度、及び、樹脂フィルム１自身の破断強度より、小さくなるように設定されている。つまり、樹脂フィルム１及び粘着層２に引き剥がし力Ｆを加えた場合、第１層８と第２層９との間で剥離するようになっている（粘着層２が凝集破壊を起こすようになっている）。また、粘着層２は、アクリル系樹脂を主剤としている。
なお、図７に於て、図１及び図３と同一の符号は、図１及び図３と同様の構成であるので説明を省略する。
【００２０】
本発明は設計変更自在であり、使用状態に於て、樹脂フィルム１自身の破断強度が、被着体６と粘着層２との間に剥離を起こす付着強度、粘着層２と樹脂フィルム１との間に剥離を起こす付着強度、及び、粘着層２自身の凝集破壊を起こす破壊強度より、小さくなるように設定されていてもよい。この時、図示省略するが、樹脂フィルム１及び粘着層２に引き剥がし力Ｆを加えた場合、粘着層２は被着体６から剥がれたり、凝集破壊したりせず、樹脂フィルム１が破断するようになっている。
また、本発明のセキュリティ用ラベルを被着体６から剥がされたことが確認し易いように、粘着層２中に紫外線を照射すれば発光する蛍光塗料や着色剤（染料・顔料）を混合してもよい。
【００２１】
上述した本発明であるセキュリティ用ラベルの使用方法（作用）について説明する。
まず、図１に於て、粘着層２から剥離シート３を剥離し、次に、図２及び図３（ａ）に示すように、その粘着層２の装飾面４を被着体６に貼り付ける。
図３（ｂ）に於て、樹脂フィルム１及び粘着層２に引き剥がし力Ｆを加えた場合、粘着層２が凝集破壊を起こし、樹脂フィルム１側と被着体６側とに分裂する。なお、この時、被着体６と粘着層２との間や、樹脂フィルム１と粘着層２との間では、剥離せず、樹脂フィルム１自身も破断することはない。
そして、図３（ｃ）に示すように、被着体６には分裂した粘着層２が残る。また、被着体６に残った粘着層２の凝集破壊を生じた面は、不規則な凹凸面（不整合面）を形成している。
【００２２】
以上のように、本発明のセキュリティ用ラベルは、透明又は半透明の樹脂フィルム１と、透明又は半透明の粘着層２と、剥離シート３と、を順次積層したセキュリティ用ラベルであって、粘着層２の剥離シート３側に多数の微小凸部５を有する装飾面４を形成し、かつ、粘着層２から剥離シート３を剥離してその粘着層２の装飾面４を被着体６に貼り付けた使用状態に於て、粘着層２自身の凝集破壊を起こす破壊強度が、被着体６と粘着層２との間に剥離を起こす付着強度、粘着層２と樹脂フィルム１との間に剥離を起こす付着強度、及び、樹脂フィルム１自身の破断強度より、小さくなるように設定したので、本発明のラベルが被着体６に貼り付けられた後、剥がされたか否かを容易に判別できる。
具体的には、被着体６に貼り付けられた本発明のラベルを剥がす際、粘着層２は凝集破壊して分裂するので、ラベルを破損せず剥がして再度貼り直すことはできない。従って、ラベルに剥離した跡を明確に残すことができる。
また、凝集破壊して分裂した粘着層２の一部は被着体６に付着したまま残るので、ラベルが剥がされたことを確実に確認できる。さらに、被着体６に残った粘着層２を新たに樹脂フィルム１等で被覆して隠そうとしても、粘着層２の凝集破壊した部分は不整合面を形成しており、樹脂フィルム１との間に気泡が入るので、微小凸部５にて形成される文字等も見えにくくなり、ラベルが剥がされたことが確実に確認できる。
従って、本発明のラベルを医薬品や食品を封入した容器（被着体６）の開け口の部位に貼り付けておけば、容器を不正に開封しようとしてラベルが剥がされた場合であっても、そのことを容易に確認できる。また、本発明のラベルを内容物の品質保持期限等を記載したラベルとして容器（被着体６）に貼り付ければ、そのラベルが剥がされ不正に改ざんした別のラベルが新たに容器に付されても、そのことを容易に確認できる。
【００２３】
また、粘着層２自身の凝集破壊を起こす破壊強度を、被着体６と粘着層２との間に剥離を起こす付着強度の20％以上70％以下になるように設定したので、粘着層２に引き剥がし力Ｆが加えられた場合に、粘着層２が凝集破壊するようにできる。
また、粘着層２の装飾面４に文字や模様を形成する微小凸部５の形状を長期間維持できる。
【００２４】
また、透明又は半透明の樹脂フィルム１と、透明又は半透明の粘着層２と、剥離シート３と、を順次積層したセキュリティ用ラベルであって、粘着層２の剥離シート３側に多数の微小凸部５を有する装飾面４を形成し、かつ、粘着層２から剥離シート３を剥離してその粘着層２の装飾面４を被着体６に貼り付けた使用状態に於て、樹脂フィルム１自身の破断強度が、被着体６と粘着層２との間に剥離を起こす付着強度、粘着層２と樹脂フィルム１との間に剥離を起こす付着強度、及び、粘着層２自身の凝集破壊を起こす破壊強度より、小さくなるように設定したので、本発明のラベルが被着体６に貼り付けられた後、剥がされたか否かを容易に判別できる。
従って、本発明のラベルを医薬品や食品を封入した容器（被着体６）の開け口の部位に貼り付けておけば、容器を不正に開封しようとしてラベルが剥がされた場合であっても、そのことを容易に確認できる。また、本発明のラベルを内容物の品質保持期限等を記載したラベルとして容器（被着体６）に貼り付ければ、そのラベルが剥がされ不正に改ざんした別のラベルが新たに容器に付されても、そのことを容易に確認できる。
【図面の簡単な説明】
【００２５】
【図１】本発明の第１の実施の形態を示す断面図である。
【図２】使用状態の一例を示す斜視図である。
【図３】断面図である。
【図４】粘着層の架橋剤の含有量と粘着層の破壊強度及び付着強度との関係を示すグラフ図である。
【図５】要部底面図である。
【図６】要部底面図である。
【図７】第２の実施の形態を示す断面図である。
【符号の説明】
【００２６】
１  樹脂フィルム
２  粘着層
３  剥離シート
４  装飾面
５  微小凸部
６  被着体
【図１】
2006235257.tif 000003
【図２】
2006235257.tif 000004
【図３】
2006235257.tif 000005
【図４】
2006235257.tif 000006
【図５】
2006235257.tif 000007
【図６】
2006235257.tif 000008
【図７】
2006235257.tif 000009